(57)【要約】【課題】手摺への負荷でブラケットが回動するのを防止して、耐荷重性能を向上させると共に、壁面パネルの損傷を防止し、美観の向上及び歩行者の安全性の向上を図れるようにする建物用手摺を提供する。【解決手段】壁面パネル２に突設されるアンカーボルト３に固定されて笠木１０を支持するブラケット２０は、アンカーボルトに固定される固定部２１と、笠木の支持部２２と、固定部の上端部と支持部の下端部とを連結する連結部２３と、を有し、固定部の下端部に、段部２４を介して壁面パネルの表面に沿って下方に延在される、回転止め用のタッピングねじ６が取付可能な薄板状の延長補強片２５が形成される。アンカーボルト固定部とタッピングねじを外部から隠蔽するカバー材３０は、上部から下部に向かって傾斜される表面３０ａを有する。【選択図】図３
2015108258.tif 000002
【特許請求の範囲】
【請求項１】
壁面パネルに突設されるアンカーボルトに固定されるブラケットと、該ブラケットに支持される笠木と、上記ブラケットの上記アンカーボルト固定部を外部から隠蔽するカバー材と、を具備する建物用手摺であって、
上記ブラケットは、上記アンカーボルトに固定される固定部と、上記笠木の支持部と、上記固定部の上端部と上記支持部の下端部とを連結する連結部と、を有し、
上記固定部の下端部に、段部を介して上記壁面パネルの表面に沿って下方に延在される、回転止めねじ部材が取付可能な薄板状の延長補強片が形成され、
上記カバー材は、上記アンカーボルト固定部と上記回転止めねじ部材を覆うと共に、表面が上部から下部に向かって傾斜されている、
ことを特徴とする建物用手摺。
【請求項２】
請求項１に記載の建物用手摺において、
上記延長補強片の下部に、上記笠木への負荷時に上記ブラケットの回動を阻止する上記回転止めねじ部材が、延長補強片を貫通して上記壁面パネルの裏面側に設けられた下地材と螺合可能に形成される、ことを特徴とする建物用手摺。
【請求項３】
請求項１又は２に記載の建物用手摺において、
上記延長補強片の下部表面に、上記回転止めねじ部材の取付用の水平Ｖ字溝が設けられている、ことを特徴とする建物用手摺。
【請求項４】
請求項１ないし３のいずれかに記載の建物用手摺において、
上記カバー材の裏面には、上記ブラケットの連結部下面に設けられた係止突起に係合する係止爪片と、上記ブラケットの固定部の両側表面に当接する位置規制片と、上記ブラケットの固定部に設けられた水平嵌合溝に嵌合される係止脚片とが設けられ、上記水平嵌合溝の上壁には、開口側に向かって拡開する傾斜面が形成される、ことを特徴とする建物用手摺。
【発明の詳細な説明】
【技術分野】
【０００１】
この発明は、建物用手摺に関するもので、更に詳細には、建物の廊下や階段等の壁面に設置される建物用手摺に関するものである。
【背景技術】
【０００２】
従来、建物の廊下や階段等の壁面に連続した手摺が設置され、歩行者の助けとなっている。この種の手摺は、一般に、壁材（壁面パネル）に突設されるアンカーボルトに固定されるブラケットと、該ブラケットに支持される笠木と、上記ブラケットの上記アンカーボルト固定部を外部から隠蔽するカバー材と、を具備する。このような手摺において、手摺自体の重量を軽減するために、笠木は、下部が長手通しに開放した溝を有する芯材と、該芯材の外周に被着される合成樹脂製笠木本体とで形成されている。また、ブラケットは、アルミニウム製部材にて形成されている。
【０００３】
このような手摺は、病院や老健施設等に多く設置されるが、取付壁面は概ね石膏ボードが貼着されており、強度の高いものではない。そのため、手摺への負荷を石膏ボードに集中的に与えないために、躯体にアンカーを打ち込むか、壁裏で拡開して力を分散させるアンカー部材等を使用しているものの、手摺への負荷が大きいと石膏ボード表面に損傷を与えてしまう。
【０００４】
更なる強度が求められる場合には、壁材（壁面パネル）として、基準の石膏ボード（JIS A6901 GB-R））に代えて硬質なもの（JIS A6901 GB-R-H））を使用するか、あるいは、石膏ボードとブラケットとの間にブラケット下端部よりも下方に延長した板材を挟み込んで補強する必要がある。
【０００５】
従来では、壁面とブラケットとの間に座板を介在して、笠木（手摺桿）に加わる外力を設置面に伝えるようにしたものが知られている（例えば、特許文献１参照）。この特許文献１に記載のものによれば、壁材に標準の石膏ボードを用いた壁面に手摺を設置することが可能となる。
【０００６】
また、ブラケットの固定部は、アンカーボルトに固定される肉厚の基部と、基部の両側面及び下面から外方へ向かって延在するフランジ部とを有し、ブラケットの固定部にキャップを被着するものが知られている（例えば、特許文献２参照）。この特許文献２に記載のものによれば、壁面とブラケットとの間に座板を介在せずに手摺を設置することができる。
【先行技術文献】
【特許文献】
【０００７】
【特許文献１】特開２００６−２４１８１４号公報
【特許文献２】特開２００３−４９５２１号公報
【発明の概要】
【発明が解決しようとする課題】
【０００８】
しかしながら、特許文献１に記載のものにおいては、壁面とブラケットとの間に座板を介在するため、部材が増大すると共に、施工に手間がかかる上、美観が損なわれるなどの課題がある。
【０００９】
一方、特許文献２に記載のものにおいては、壁材に基準の石膏ボードを用いた場合には、アンカーボルトとブラケットの固定の締付け力を大きくすると、石膏ボードが変形するため、強固な固定ができない。また、笠木のブラケット間に荷重が加わって笠木が撓むことにより、アンカーボルトを基点としてブラケットが回動し、ブラケットの下端部が壁面に陥没して壁面に損傷を与える懸念がある。
【００１０】
また、この種の手摺においては、アンカーボルトの固定部が外部に露出していると、美観が損なわれる上、歩行者が引っ掛かる虞があるため、アンカーボルトの固定部を隠蔽するカバー材が取り付けられるが、更に歩行者が安全に歩行できるように、カバー材に引っ掛からない工夫が望まれている。
【００１１】
この発明は、上記事情に鑑みてなされたもので、手摺への負荷でブラケットがアンカーボルト周りで回動するのを防止して、耐荷重性能を向上させると共に、壁面パネルの損傷を防止することができ、かつ、美観の向上及び歩行者の安全性の向上を図れるようにする建物用手摺を提供する。
【課題を解決するための手段】
【００１２】
上記課題を解決するため、この発明の建物用手摺は、壁面パネルに突設されるアンカーボルトに固定されるブラケットと、該ブラケットに支持される笠木と、上記ブラケットの上記アンカーボルト固定部を外部から隠蔽するカバー材と、を具備する建物用手摺であって、  上記ブラケットは、上記アンカーボルトに固定される固定部と、上記笠木の支持部と、上記固定部の上端部と上記支持部の下端部とを連結する連結部と、を有し、  上記固定部の下端部に、段部を介して上記壁面パネルの表面に沿って下方に延在される、回転止めねじ部材が取付可能な薄板状の延長補強片が形成され、  上記カバー材は、上記アンカーボルト固定部と上記回転止めねじ部材を覆うと共に、表面が上部から下部に向かって傾斜されている、ことを特徴とする（請求項１）。
【００１３】
このように構成することにより、ブラケットの固定部の下端部に薄板状の延長補強片が延在され、延長補強片を貫通する回転止めねじ部材を取り付けることで、笠木への負荷でブラケットがアンカーボルトを基点として回動するのを阻止することができる。
【００１４】
また、アンカーボルト固定部と回転止めねじ部材を覆うカバー材の表面が上部から下部に向かって傾斜されていることで、アンカーボルト固定部と回転止めねじ部材を外部から隠蔽することができると共に、カバー材の表面側の突出部を少なくすることができる。
【００１５】
この発明において、上記延長補強片の下部に、上記笠木への負荷時に上記ブラケットの回動を阻止する上記回転止めねじ部材が、延長補強片を貫通して上記壁面パネルの裏面側に設けられた下地材と螺合可能に形成されるのが好ましい（請求項２）。
【００１６】
このように構成することにより、回転止めねじ部材を、壁面パネルの裏面側に設けられた下地材と螺合することで、ブラケットの取付を強固にすることができる。
【００１７】
また、この発明において、上記延長補強片の下部表面に、上記回転止めねじ部材の取付用の水平Ｖ字溝を設けるのが好ましい（請求項３）。
【００１８】
このように構成することにより、回転止めねじ部材を水平Ｖ字溝に貫通して壁面パネルの裏面側に設けられた下地材に螺合することができる。
【００１９】
また、この発明において、上記カバー材の裏面には、上記ブラケットの連結部下面に設けられた係止突起に係合する係止爪片と、上記ブラケットの固定部の両側表面に当接する位置規制片と、上記ブラケットの固定部に設けられた水平嵌合溝に嵌合される係止脚片とが設けられ、上記水平嵌合溝の上壁には、開口側に向かって拡開する傾斜面が形成されるのが好ましい（請求項４）。
【００２０】
このように構成することにより、壁面パネルに固定されたブラケットの固定部及び延長補強片に向かってカバー材を斜め下方から移動して、カバー材に設けられた係止脚片をブラケットに設けられた水平嵌合溝に嵌合すると共に、係止爪片をブラケットの連結部下面に設けられた係止突起に係合し、位置規制片をブラケットの固定部の両側表面に当接して、カバー材を被着することができる。
【発明の効果】
【００２１】
この発明によれば、上記のように構成されているので、以下のような顕著な効果が得られる。
【００２２】
（１）請求項１，２に記載の発明によれば、笠木への負荷でブラケットがアンカーボルトを基点として回動するのを阻止することができるので、耐荷重性能を向上させることができると共に、壁面パネルの損傷を防止することができる。
【００２３】
また、アンカーボルト固定部と回転止めねじ部材を覆うカバー材の表面が上部から下部に向かって傾斜されていることで、アンカーボルト固定部と回転止めねじ部材を外部から隠蔽することができると共に、カバー材の表面側の突出部を少なくすることができるので、美観の向上及び歩行者の安全性の向上を図れる。
【００２４】
（２）請求項３に記載の発明によれば、回転止めねじ部材を水平Ｖ字溝に貫通して壁面パネルの裏面側に設けられた下地材に螺合することができるので、上記（１）に加えて更にブラケットの固定を容易にすることができる。
【００２５】
（３）請求項４に記載の発明によれば、壁面パネルに固定されたブラケットの固定部及び延長補強片に向かってカバー材を斜め下方から移動して、カバー材に設けられた係止脚片をブラケットに設けられた水平嵌合溝に嵌合すると共に、係止爪片をブラケットの連結部下面に設けられた係止突起に係合し、位置規制片をブラケットの固定部の両側表面に当接して、カバー材を被着することができるので、上記（１），（２）に加えて、更にカバー材の取り付けを容易かつ確実にすることができる。
【図面の簡単な説明】
【００２６】
【図１】この発明に係る建物用手摺の設置状態の一例を示す概略正面図である。
【図２】上記建物用手摺の設置状態の要部を示す正面図（ａ）及び側面図（ｂ）である。
【図３】図２（ａ）のＩ−Ｉ線に沿う断面図である。
【図４】この発明におけるブラケットとカバー材の取り付け状態を示す断面図（ａ）及び（ａ）のＡ部拡大断面図（ｂ）である。
【図５】この発明におけるブラケット、笠木及びカバー材を示す分解斜視図である。
【図６】この発明におけるブラケットと笠木の取り付け状態を示す斜視図である。
【図７】上記カバー材を取り付けた状態を示す斜視図である。
【図８】上記カバー材の正面図（ａ）、背面図（ｂ）、平面図（ｃ）及び左側面図（ｄ）である。
【図９】図８（ｂ）のII−II線に沿う断面図（ａ）、III−III線に沿う断面図（ｂ）及びIV−IV線に沿う断面図（ｃ）である。
【図１０】この発明に係る手摺に荷重を加えた状態を示す概略正面図（ａ）及び回転止めねじ部材無しの手摺に荷重を加えた状態を示す概略正面図（ｂ）である。
【図１１】この発明に係る手摺にＢＬ基準を満たす荷重を加えた状態を示す断面図（ａ）及び最大荷重を加えた状態を示す断面図（ｂ）である。
【発明を実施するための形態】
【００２７】
以下に、この発明に係る建物用手摺について、添付図面を参照して詳細に説明する。
【００２８】
上記建物用手摺１は、図１ないし図３に示すように、壁面パネル２に突設されるアンカーボルト３に固定されるブラケット２０と、該ブラケット２０に支持される笠木１０と、ブラケット２０のアンカーボルト３の固定部を外部から隠蔽するカバー材３０と、を具備している。
【００２９】
壁面パネル２は、厚さの異なる２枚の石膏ボード２ａ，２ｂを貼着してなり、裏面側には所定の高さ幅を有する板状の金属製の下地材２ｃが貼着されている。
【００３０】
笠木１０は、図２ないし図５に示すように、下部が長手通しに開放した溝を有するアルミニウム合金製の押出形材にて形成される芯材１１と、該芯材１１の外周に被着される合成樹脂製の笠木本体１２とで形成されている。
【００３１】
上記芯材１１は、矩形状の中空部１３と、この中空部１３の全長に渡って連通する下方に開口する開口部１４とを具備する断面が略矩形状に形成されている。この場合、中空部１３を構成する対向する両側片１５ａ，１５ａの下端より上方側に位置する下片１５ｂの中間部に開口部１４が形成されている。また、両側片１５ａ，１５ａの上端及び下端に延在する取付片１６の角部に円弧状部１７が形成されている。また、中空部１３を構成する上片１５ｃには、下方すなわち中空部１３の内面側に開口する凹条１８が形成されており、この凹条１８の底面に後述するブラケット２０の支持部２２の先端部が当接係合し得るようになっている。
【００３２】
一方、笠木本体１２は、図２、図３及び図５に示すように、下方に開口部１２ａを有する断面略円弧状に形成されている。この場合、開口部１２ａの対向する縁部には、芯材１１の取付片１６に係合可能な係合片１２ｂが突設されている。
【００３３】
上記ブラケット２０は、例えばアルミニウム合金製の押出形材にて形成されており、図２ないし図５に示すように、壁面パネル２に突設されたアンカーボルト３に固定される固定部２１と、芯材１１の中空部１３内に挿入されると共に、凹条１８の底面に当接係合可能な支持部２２と、固定部２１の上端部と支持部２２の下端部とを連結する連結部２３とを具備している。この場合、連結部２３は、固定部２１の上端部から直交状に屈曲する水平部２３ａと、支持部２２の下端部から垂下する垂直部２３ｂと、水平部２３ａの先端と垂直部２３ｂの下端とに連なる円弧状屈曲部２３ｃとからなるエルボ状に形成されている。また、水平部２３ａは固定部２１と同じ肉厚に形成され、円弧状屈曲部２３ｃは水平部２３ａから垂直部２３ｂに向かって漸次肉厚が薄く形成され、垂直部２３ｂは上方に向かって漸次肉厚が薄く形成されている。これにより、強度上、影響の少ない部分の肉厚を減少することでコストダウンを図っている。
【００３４】
また、固定部２１の下端部には、凸円弧状の段部２４を介して壁面パネル２の表面に沿って下方に延在される薄板状の延長補強片２５が形成されている。この場合、固定部２１の肉厚が７ｍｍであるのに対し、延長補強片２５の肉厚は２ｍｍに設定されている。このように、固定部２１の下端部に段部２４を介して薄板状の延長補強片２５を延在することにより、ブラケット２０に過度の荷重がかかった場合に延長補強片２５が変形し得る。
【００３５】
なお、延長補強片２５の下部表面には、後述する回転止めねじ部材であるタッピングねじ６の取付用の水平Ｖ字溝２６が設けられており、笠木１０への負荷時にブラケット２０の回動を阻止するタッピングねじ６が、水平Ｖ字溝２６を介して延長補強片２５を貫通して壁面パネル２の裏面側に設けられた下地材２ｃと螺合可能に形成されている。
【００３６】
なお、支持部２２は上端に凹状溝２２ａを有する断面矩形状に形成されており、この支持部２２の一側面には円弧状凹溝２２ｂが長手通しに形成されている。このように上端に凹状溝２２ａを設けると共に、一側面に円弧状凹溝２２ｂを設けることにより、強度上影響の少ない断面部分の肉厚を減じることで、後述する固定ねじ７の取付を容易にしている。また、連結部２３の支持部側部分は支持部２２より薄肉に形成されている。
【００３７】
支持部２２を笠木１０の芯材１１に設けられた開口部１４及び笠木本体１２に設けられた開口部１２ａを介して中空部１３内に挿入し、上端を凹条１８の底部に当接した状態で、一方の側片１５ａを貫通する固定ねじ７を支持部２２と他方の側片１５ａに螺合することで、支持部２２と芯材１１とを連結する。
【００３８】
上記のように形成されるブラケット２０は、固定部２１に設けられた貫通孔２１ａを貫通するアンカーボルト３の突出部に座金４を介してナット５を螺合することで、壁面パネル２に固定される。
【００３９】
上記カバー材３０は、合成樹脂製部材によって形成されており、アンカーボルト固定部であるアンカーボルト３の突出部とナット５の螺合部と、タッピングねじ６を覆うと共に、該カバー材３０の表面３０ａが上部から下部に向かって凹状に傾斜されている。この場合、ブラケット２０に取り付けられた状態で、カバー材３０の上部は、上記連結部２３の水平部２３ａの下方側に位置しており、連結部２３の円弧状屈曲部２３ｃの円弧状曲面とカバー材３０の表面３０ａの凹状曲面との間の段差を小さくしている。なお、カバー材３０の表面３０ａに設けられる傾斜は必ずしも凹状でなくてもよく、直状であってもよい。
【００４０】
また、カバー材３０の裏面には、ブラケット２０の連結部２３の水平部下面に設けられた係止突起２７に係合する係止爪片３１と、ブラケット２０の固定部２１の両側表面に当接する一対の位置規制片３２と、ブラケット２０の固定部２１に設けられた水平嵌合溝２８に嵌合される係止脚片３３とが設けられている。
【００４１】
この場合、図４（ｂ）に示すように、係止突起２７は、水平部２３ａの基端の固定部２１側に位置する垂直係止面２７ａと、垂直係止面２７ａの下端から水平部２３ａの先端側に向かって延びる傾斜面２７ｂとからなる三角形に形成されている。一方、係止爪片３１の先端部には、垂直係止面２７ａと係合する垂直面３１ａを有する三角形状の係止爪部３１ｂが形成されている。
【００４２】
また、水平嵌合溝２８の上壁には、カバー材３０の斜め下方からの取り付けを可能にすべく開口側に向かって拡開する拡開傾斜面２８ａが形成されている。これにより、カバー材３０をブラケット２０に取り付ける際に、カバー材３０を斜め下方からブラケット２０の固定部２１側に移動して、係止脚片３３を水平嵌合溝２８に嵌合させることができ、カバー材３０の取り付けを容易にすることができる。
【００４３】
また、カバー材３０を取り付けた状態において、カバー材３０の下端縁部３４と延長補強片２５の下端部との間に隙間４０が設けられる。
【００４４】
次に、上記のように構成される手摺１の施工手順について説明する。まず、施工現場において、ブラケット２０の取り付ける位置の寸法を計測し、壁面パネル２に所定の間隔（スパン）をおいてアンカーボルト３を取り付ける。この場合、板ナット３ａを壁面パネル２の裏面に取り付け、板ナット３ａにアンカーボルト３を螺合する（図３参照）。
【００４５】
次に、壁面パネル２に突出するアンカーボルト３に、固定部２１に設けられた貫通孔２１ａを介してブラケット２０を取り付け、アンカーボルト３に座金４を介してナット５を螺合して、ブラケット２０を固定する。
【００４６】
次に、延長補強片２５の下部に設けられた水平Ｖ字溝２６にタッピングねじ６を打ち込んで、タッピングねじ６を壁面パネル２の裏面側の下地材２ｃに螺合する。
【００４７】
次に、芯材１１の開口部１４を介して中空部１３内にブラケット２０の支持部２２を挿入し、支持部２２の先端の凹状溝２２ａ部を芯材１１に設けられた凹条１８の底面に当接した状態で、一方の側片１５ａを貫通する固定ねじ７を支持部２２と他方の側片１５ａに螺合して、支持部２２と芯材１１とを連結する。このようにして、支持部２２と芯材１１とを連結した後、芯材１１の外周面に笠木本体１２を被着する。
【００４８】
その後、カバー材３０を斜め下方からブラケット２０の固定部２１側に移動して、係止脚片３３を水平嵌合溝２８に嵌合させると共に、係止爪片３１をブラケット２０の連結部２３の水平部２３ａの下部に設けられた係止突起２７に係合させ、位置規制片３２を固定部２１の両側面に当接させる。これにより、カバー材３０によってブラケット２０のアンカーボルト固定部すなわちアンカーボルト３とナット５の螺合部とタッピングねじ６の頭部が外部から隠蔽される。
【００４９】
上記のように構成される実施形態の手摺１によれば、笠木１０への負荷でブラケット２０がアンカーボルト３を基点として回動するのを阻止することができるので、耐荷重性能を向上させることができると共に、壁面パネル２の損傷を防止することができる。
【００５０】
また、アンカーボルト固定部｛アンカーボルト３及びナット５｝とタッピングねじ６を覆うカバー材３０の表面が上部から下部に向かって傾斜されていることで、アンカーボルト固定部｛アンカーボルト３及びナット５｝とタッピングねじ６を外部から隠蔽することができると共に、カバー材３０の表面側の突出部を少なくすることができるので、美観の向上及び歩行者の安全性の向上を図れる。
【００５１】
また、タッピングねじ６を水平Ｖ字溝２６に貫通して壁面パネル２の裏面側に設けられた下地材２ｃに螺合することができるので、ブラケット２０の固定を容易にすることができる。
【００５２】
また、壁面パネル２に固定されたブラケット２０の固定部２１及び延長補強片２５に向かってカバー材３０を斜め下方から移動して、カバー材３０に設けられた係止脚片３３をブラケット２０に設けられた水平嵌合溝２８に嵌合すると共に、係止爪片３１をブラケット２０の連結部下面に設けられた係止突起２７に係合し、位置規制片３２をブラケット２０の固定部２１の両側表面に当接して、カバー材３０を被着することができるので、更にカバー材の取り付けを容易かつ確実にすることができる。
【００５３】
更に、カバー材３０の下端縁部３４と延長補強片２５の下端部との間に隙間４０をもたせてカバー材３０をブラケット２０へ被着することができるので、更にカバー材３０の取り付けを容易にすることができる。
【００５４】
なお、この発明に係る手摺１は硬質石膏ボード製の壁面パネルにも設置可能であり、その場合には、延長補強片２５にタッピングねじ６を打ち込まずに、アンカーボルト３とナット５を強固に螺合（締結）することで、ブラケット２０に強度をもたせることができる。
【実施例】
【００５５】
＜実施例１＞
上記のように構成される実施形態の手摺１｛図１０（ａ）参照｝と延長補強片２５を有しない従来の手摺１Ａ｛図１０（ｂ）参照｝の強度を調べるために、以下のような条件で強度試験を行った。
【００５６】
試験条件
．芯材１１：アルミニウム製押出形材 
．笠木本体１２：半硬質塩化ビニール製二層成形材
．壁面パネル２｛石膏ボード２ａの板厚：１２．５ｍｍ、石膏ボード２ｂの板厚：９．５ｍｍ、下地材２ｃの板厚：０．８ｍｍ｝
．スパン：９１０ｍｍ
．ナット５：Ｍ８
手摺１，１Ａの笠木１０の中央部にＢＬ基準を満たす荷重Ｗを加えた強度試験を行った結果、図１０（ａ）に示す実施形態の手摺１においては、荷重３０Ｋｇｆの撓み９．１ｍｍ以下であった。また、最大荷重１２０Ｋｇｆ以上の試験結果が得られた。
【００５７】
これに対して、図１０（ｂ）に示す従来の手摺１Ａにおいて、同様の強度試験を行ったところ、ブラケット２０Ａがアンカーボルト３を基点として回動し、ブラケット２０Ａの下端部が壁面パネル２の表面に陥没した。
【００５８】
＜実施例２＞
次に、実施形態の手摺１にＢＬ基準を満たす荷重Ｗと最大荷重Ｗmaxを加えてブラケット２０の変形を調べたところ、ＢＬ基準を満たす荷重Ｗではブラケット２０は変形しなかった｛図１１（ａ）参照｝。一方、最大荷重Ｗmaxでは、タッピングねじ６によって回転が阻止されているため、ブラケット２０がアンカーボルト３を基点として回動する力（応力）によって延長補強片２５が壁面パネル２から離れる方向に変形し、壁面パネル２は若干変形するが、壁面パネル２の表面に損傷を与えることがなかった｛図１１（ｂ）参照｝。
【符号の説明】
【００５９】
２  壁面パネル
２ｃ  下地材
３  アンカーボルト
５  ナット
６  タッピングねじ（回転止めねじ部材）
１０  笠木
２０  ブラケット
２１  固定部
２２  支持部
２３  連結部
２４  段部
２５  延長補強片
２６  水平Ｖ字溝
２７  係止突起
２８  水平嵌合溝
２８ａ  拡開傾斜面
３０  カバー材
３１  係止爪片
３２  位置規制片
３３  係止脚片
【図１】
2015108258.tif 000003
【図２】
2015108258.tif 000004
【図３】
2015108258.tif 000005
【図４】
2015108258.tif 000006
【図５】
2015108258.tif 000007
【図６】
2015108258.tif 000008
【図７】
2015108258.tif 000009
【図８】
2015108258.tif 000010
【図９】
2015108258.tif 000011
【図１０】
2015108258.tif 000012
【図１１】
2015108258.tif 000013